(57)【要約】 【課題】  録音、再生処理に対して各種の条件を設定することにより、会話内容のプライバシーを確実に保護することのできる近距離無線通信機能付きヘッドセットを提供する。【解決手段】  装着者の音声を検出して第１の音声信号を生成するマイクロホン１８７と、第１の音声信号を近距離無線通信により送信し、第１の音声信号に対して返送される第２の音声信号を近距離無線通信により受信する送受信手段１９８および１９９と、第１および第２の音声信号を格納する記憶手段１９１と、第１および第２の音声信号の再生が許可される条件を格納する再生許可情報格納部２０１と、第１および第２の音声信号の再生要求があった場合に、再生許可情報格納部２０１を参照して、再生が許可されるべきか否かを判断する再生判定部２０３とを備える。【選択図】  図１５
2004357294.tif 000002
【特許請求の範囲】
【請求項１】
装着者の音声を検出して第１の音声信号を生成するマイクロホンと、
前記第１の音声信号を近距離無線通信により送信し、当該第１の音声信号に対して返送される第２の音声信号を近距離無線通信により受信する送受信手段と、  前記第１および第２の音声信号を格納する記憶手段と、
前記第１および第２の音声信号の再生が許可される条件を格納する再生許可情報格納部と、
前記第１および第２の音声信号の再生要求があった場合に、前記再生許可情報格納部を参照して、再生が許可されるべきか否かを判断する再生判定部
とを備える無線通信機能付きヘッドセット。
【請求項２】
前記再生判定部が再生を許可した場合に、前記記憶手段から読み出された内容を、合成音により再生する合成手段をさらに備える請求項１に記載の無線通信機能付きヘッドセット。
【請求項３】
音声認識部と、テキスト表示部とをさらに備え、
前記音声認識部は、前記再生判定部が再生を許可した場合に、再生された音声を認識して文字列に変換し、
前記テキスト表示部は、前記文字列を表示する請求項１に記載の無線通信機能付きヘッドセット。
【請求項４】
所定のキーワードを格納するキーワード記憶部と、
前記第１および第２の音声信号に前記キーワードが含まれる場合に、前記第１および第２の音声信号にキーワード情報を関連づけて、格納すべき情報を作成する情報作成部と、
前記再生判定部が再生を許可した場合に、前記キーワード情報を参照してキーワードを抽出し、前記抽出されたキーワードを含む領域区間を決定する区間決定手段と、
前記決定された区間の音声のみを再生する再生部
とをさらに備える請求項１に記載の無線通信機能付きヘッドセット。
【請求項５】
再生が抑止される所定の制限キーワードを格納する制限キーワード記憶部と、
前記第１および第２の音声信号に前記制限キーワードが含まれる場合に、前記第１および第２の音声信号に、制限キーワード情報を関連付けて、格納すべき情報を作成する情報作成部と、
前記再生判定部が再生を許可した場合に、前記制限キーワード情報が含まれるか否かを判断する再生抑止判定手段と、
前記再生抑止判定手段が制限キーワードを検出した場合に、前記制限キーワードの再生を抑止する再生抑止手段
とをさらに備える請求項１に記載の無線通信機能付きヘッドセット。
【発明の詳細な説明】
【技術分野】
【０００１】
本発明は、遍在する機器間を近距離無線通信で接続して常時通信、常時記録を可能にしつつ、通信内容の秘匿性と検索・再生の簡易性を実現する近距離無線通信用ヘッドセットシステムに関する。
【背景技術】
【０００２】
ブルートゥース（Bluetooth）と呼ばれる近距離ワイヤレス通信システムが開発され、室内やオフィス内で、ＰＣ、プリンタ、携帯電話、デジタルカメラなどの機器間を、コードを使用せずに接続、制御することが可能になってきた。
【０００３】
このような中で、モバイル環境へのシステムの適用を促進し、コミュニケーションの利便性と円滑性をさらに高めるため、音声入力機能付きのヘッドセットを用いることが発案されている。
【０００４】
現在、無線による相互通信として、携帯電話による音声通信や、モバイル端末を用いたメールやチャットが頻繁に行われている。しかし、携帯電話では、通信の都度、相手先を特定して接続しなければならない。また、交わした会話は、その場限りのものであり、携帯電話を切ると、それまでの会話内容は失われてしまう。一方、無線通信によるメールやチャットは、通信内容は文字として保存されるが、使用時に通信内容をすべて手作業で入力しなければならない。
【０００５】
そこで、音声による無線通信の内容を、リアルタイムで記録、保存し、後日それを有効利用できるシステムが望まれてくる。音声の録音は、これまでテープレコーダなどの録音機器を用いて、音波として伝播する直接音を必要な範囲でだけ録音するのが通常であった。常時録音という作業はコストや手間が大きく、たとえば、学術的な目的で人間の挙動を観察するなどの特殊な場合を除いて実現されていなかった。近年、ウェアラブル（wearable）コンピュータという分野で、身体装着型のコンピュータや、その応用研究が行われているが、常時センシングした各種情報（環境情報や生体情報）をどのように処理するかについては、未だ研究段階である。
【０００６】
また、パーソナルコンピュータに録音機能を持たせて、周囲の音を持続的に録音する技術は提案されているが、この技術はあくまでも一人称的なものであり、音波として外部から伝播する直接音を録音するものである。記録内容はまず、ＰＣ内のメモリに格納され、検出した音声をそのままリアルタイムで第三者に送信することはできない。
【０００７】
また、会議内容を記録して、後日それを再生、検索する会議録システムは存在するが、固定的な状況で、あらかじめ決められた課題についての討議が一定時間記録されるだけである。
【発明の開示】
【発明が解決しようとする課題】
【０００８】
このような状況で、無線通信機能付きのヘッドセットを装着したユーザが、デジタル化された音声をリアルタイムで通信、記録し、後日、記録したデータを有意義に利用することのできるシステムが提案される。本件と同一出願人による同日提出の特許出願では、無線通信機能付ヘッドセットを装着したユーザが、リアルタイムで音声コマンドにより機器を制御し、または、ディクテーションなどの音声データをリアルタイムで通信、記録する技術が提案されている。
【０００９】
このようなヘッドセットシステムは、ワイヤレスのため、ユーザは行動の制限を受けることなく、自由な状況で通信、記録、機器の制御を行うことが可能になる。また、ユーザの音声を接話マイクロホンで採取し、デジタル化して送信、記録するので、雑音の重畳の少ない明瞭な音声を通信、蓄積することができる。記録したデータは劣化がほとんどなく、保存、複写、直接テキスト化、検索などに適している。
【００１０】
しかし、これらのメリットと同時に、無断再生、無断流用、公開、改竄など、新たに生じる問題に対処する必要がでてくる。特に、上述したヘッドセットシステムを秘匿性の高い会議や、医療の場へ導入する場合、プライバシーの保護と、記録データの秘匿性を確保しなければならない。
【００１１】
また、記録したデータが悪用されたり、ヘッドセット自体が不正使用されないために、セキュリティの高いヘッドセットシステムが必要になってくる。
【００１２】
また、後日記録データを有効利用するためには、記録内容の秘密を確実に保護しつつ、検索、再生を簡便にすることのできる技術が必要となってくる。
【００１３】
また、記録内容を後日、証拠として利用する場合は、文献等と同程度の証拠価値を有していることが好ましい。
【００１４】
さらに、常時通信、常時記録を前提とすると、記録されたくない場合、記録したくない場合、また、記録は行ったが再生されたくない場合などが、状況に応じて生じることが当然予想される。したがって、このような場合の記録、再生の抑制技術も必要になってくる。
【００１５】
さらに、ヘッドセットの装着者の精神的な状態によっては、聞きたい、聞きたくない、聞いてもよい、相手に聞かせたくない、聞かせたいなどの感情的な要因も考慮する必要がある。
【００１６】
そこで、本発明の第１の目的は、任意の自由な状況で常時通話、常時記録を可能にしつつ、記録された内容の証拠的価値を高めることのできる無線通信機能付きヘッドセット（以下、場合に応じて「ヘッドセット」と称する）と、これを用いたコミュニケーション記録システムを提供することにある。
【００１７】
また、本発明の第２の目的は、録音、再生処理に対して各種の条件を設定することにより、会話内容のプライバシーを確実に保護することのできる近距離無線通信機能付きヘッドセットを提供することにある。
【００１８】
本発明の第３の目的は、記録した情報を、容易かつ確実に、検索、再生、利用することのできる無線機能付きヘッドセットと、これを用いたコミュニケーション記録システムを提供することにある。
【００１９】
本発明の第４の目的は、記録データが不正使用されないように、あるいは、ヘッドセット自体が不正使用されないように、セキュリティが確保された無線機能付きヘッドセットと、これを用いたコミュニケーション記録システムを提供することにある。
【００２０】
本発明の第５の目的は、常時通信を前提としつつ、通信内容を聞きたい、聞きたくない、聞いてもよい、あるいは相手に聞かせたくない、聞かせたいなどの人間の感情的な側面を考慮しつつ、ヘッドセットの装着者の状態に応じて通信や記録、再生を制御することのできるヘッドセットシステムを提供することにある。
【課題を解決するための手段】
【００２１】
これらの目的を達成するために、本発明の側面では、無線通信機能付きヘッドセットは自動的な再生許可判定機能を有する。このヘッドセットは、
（ａ）装着者の音声を検出して第１の音声信号を生成するマイクロホン
（ｂ）第１の音声信号を近距離無線通信により送信し、当該第１の音声信号に対して返送される第２の音声信号を近距離無線通信により受信する送受信手段（ｃ）前記第１および第２の音声信号を格納する記憶手段
（ｄ）第１および第２の音声信号の再生が許可される条件を格納する再生許可情報格納部
（ｅ）第１および第２の音声信号の再生要求があった場合に、再生許可情報格納部を参照して、再生が許可されるべきか否かを判断する再生判定部と
を備える。
【００２２】
このヘッドセットは、自動録音を常時行うことを前提としつつ、あらかじめ再生を抑止する条件を設定しておき、再生に対して一定の制限を課す。たとえば、再生が望ましくない内容については、一定の人物、一定の場所、一定の内容などの条件を満たす場合にのみ再生を許可する。この構成により、プライバシーの保護と、会話内容の秘匿性が確保され、ヘッドセット自体の信頼性も向上する。
【００２３】
再生の制限する具体的な例としては、再生された内容を合成音により出力する、所定のキーワードを含む一定区間の音声のみを再生する、再生が抑止される所定の制限キーワードについては再生しない、などの方法がある。
【発明の効果】
【００２４】
任意の自由な状況で常時通話、常時記録を可能にしつつ、記録された内容の証拠的価値を高めることができる。
【００２５】
録音、再生処理に対して各種の条件を設定することにより、会話内容のプライバシーが確実に保護される。
【００２６】
記録した情報を、秘匿性を維持しまたまま、容易かつ確実に、検索、再生、利用できる。
【００２７】
記録データの不正使用や、ヘッドセット自体の不正を効果的に防止できる。
【００２８】
人間の感情的な側面を考慮しつつ、ヘッドセットの装着者の状態に応じて通信や記録、再生を制御することができる。
【発明を実施するための最良の形態】
【００２９】
以下、本発明の実施形態について図面を参照して説明する。
【００３０】
(第１実施形態)
図１は、本発明の第１実施形態に係る無線通信機能付きヘッドセットの外観を示す。図１（ａ）は両耳タイプのヘッドセット１０を、図１（ｂ）は、片耳タイプのヘッドセット２０を示す。いずれのタイプのヘッドセットも、装着者（ユーザ）の音声を検出して第１の音声信号を生成するマイクロホン１７と、この第１の音声信号を近距離無線通信により送信し、また、第１の音声信号に対して別のヘッドセット装着者から返送されてくる第２の音声信号を近距離無線通信により受信する無線通信モジュール１１と、ＣＰＵボード１３と、受信した音声や再生した音声を出力するスピーカ１５を有する。
【００３１】
ヘッドセットはまた、口述する多種のモードを切り替え、選択することのできる機能選択スイッチ１９を有する。耳あて２３は柔軟なフレームで接続され、ユーザの頭部に支持される。一方の耳あて２３からアーム１８が伸び、先端にマイクロホン１７がついている。マイクロホン１７は、ユーザがヘッドセット１０（または２０）を装着したときに、ユーザのほぼ口元に位置し、周囲ノイズの重畳が少ない音声を検出する。
【００３２】
耳あて２３の中には、スピーカ１５、ＣＰＵボード１３、無線通信モジュール１１、バッテリー２１が内蔵されている。なお、図示はしないが、各要素は必要に応じてケーブル等で接続されている。
【００３３】
このような無線通信機能付きヘッドセット１０、２０は、近距離無線通信、たとえば、ブルートゥース（Bluetooth）規格による無線通信を行う。ブルートゥースの場合、２．４ＧＨｚ帯での電波を利用し、毎秒１Ｍｂｉｔでのデータ伝送が可能である。おなじブルートゥース機器間でのデータのコネクションは自動的に行われるため、ブルートゥース機能を持った端末同士では、特に“接続する”という操作をしなくても、近くに置いただけで接続が完了するという利点がある。また、認証機能が用意されているので、見知らぬ他人の機器と勝手にネットワーク接続されるおそれもない。ブルートゥースを利用したヘッドセットは、たとえば、設定によって８ｋHz、１６ｋHz、２２．０５ｋHzあるいは４４．１ｋＨｚなどのサンプリング周波数の音声信号を送受信できる。しかし、本発明はブルートゥース規格のヘッドセットに限定されず、ひろく無線通信機能を有するヘッドセットを意図する。
【００３４】
図２は、図１に示すヘッドセットで構成されるコミュニケーション記録システムのシステム構成を示す。このシステムは、基本的に常時録音、すなわちユーザがヘッドセットを着用して通信している間は自動的に録音がなされることを前提とする。通信は、ヘッドセットの装着時にパワースイッチをＯＮすることによって開始されてもよいし、温度センサ等によりヘッドセットを装着したときに自動的に開始されてもよい。
【００３５】
ＣＰＵボード１３は、マイクロホン１７で生成された第１音声信号をデジタル信号に変換する音声検出器３６と、第２のヘッドセット１０Ｂから送信され無線通信モジュール１１で受信した第２の音声信号を復号する復号化手段３９と、第１および第２の音声信号の発生時刻を取得する時計手段３３とを含む。時計手段３３は、たとえば、標準時計機能を用いる。
【００３６】
音声検出器３６でデジタル化された第１の音声信号と、受信され複合された第２の音声信号は、情報作成部３５に入力される。情報作成部３５は、第１および第２の音声信号に、時計手段３３によって得られた時刻情報を関連付け、記録情報を作成する。このとき情報作成部３５は、第１および第２の音声信号からキーワードを抽出する。図２には示さないが、ヘッドセットはさらにキーワード記憶部を有して、あらかじめヘッドセットの用途に応じたキーワードが格納されている。情報作成部３５はキーワード記憶部を参照して、第１または第２の音声信号中にキーワードが含まれる場合、それらを抽出する。キーワードを抽出することにより、後日録音された音声を再生するときに、音声や文字でキーワードを入力することにより、検索が容易になる。
【００３７】
記憶手段３１は、時刻情報と対応付けられた第１および第２の音声信号を格納する。図２の例では、ヘッドセット１０Ａと１０Ｂの間で交わされた対話内容は、デジタル音声信号として記憶手段３１に格納されるので、長時間の記録にも十分対処できる。また、適宜圧縮技術を用いて音声データを圧縮して記録してもよい。記憶手段３１は、ヘッドセット内に内蔵されたものであってもよいし、着脱式であってもよい。
【００３８】
ヘッドセット１０Ｂからの第２の音声信号はまた、音声再生器３７にも入力される。受信された第２音声信号は、音声再生器３７でアナログ信号に変換され、スピーカ１５から出力される。したがって、ヘッドセット１０Ａを装着したユーザは、ヘッドセット１０Ｂのユーザと無線通信を介して会話すると同時に、その会話内容は、時刻情報とともに、リアルタイムでヘッドセット内のメモリ（記憶手段）３１に記録（録音）される。
【００３９】
記録された内容は、たとえば図１の機能選択スイッチを操作することによって後日再生することができる。また、記憶手段３１を着脱可能なメモリカード（たとえばＳＤカード）にした場合は、別の機器で再生することもできる。会話内容は、時刻情報（年月日を含む）と関連づけて記録されているので、再生時の検索が容易になるとともに、記録としての証拠能力が高い。また、対話中のキーワードが抽出されているので、検索時にたとえば音声でキーワードを入力することによっても、検索を容易にできる。
【００４０】
また、図示はしないが、ＣＰＵボード１３に暗号化／複合化部を設置してもよい。この場合、記録された情報の保存と活用についてさらに信頼性を高め、プライバシー保護を図ることができる。
【００４１】
なお、ヘッドセット１０Ａから１０Ｂへ第１の音声信号を送信する場合は、音声検出器３６でデジタル変換された信号を符号化手段３８で符合化して、無線通信モジュール１１から無線送信するが、符合化手段３８、復号手段３９は、通常は無線通信モジュール１１内に内蔵される。
【００４２】
図２の例では、２つのヘッドセットのうち、ヘッドセット１０Ａだけが、時計手段３３、情報作成部３５、記憶手段３１を有するが、少なくともいずれか一方がこれらの構成要素を有すればよく、もちろんヘッドセット１０Ａ、１０Ｂの双方がこれらの要素を有してもよい。また、時計手段３３を、後述するように時間情報をのせた標準電波による電波時計としてもよい。この場合、標準電波受信用のアンテナが別途必要になる。電波時計を用いた場合、時間の確実さが保障され、時間を不正に変更することによる記録（録音）内容の不正利用などが防止される。
【００４３】
図３は、図２のヘッドセットを用いたコミュニケーション記録システムの変形例である。図３のシステムでは、無線通信機能付きヘッドセット４０Ａと、４０Ｂの双方が、時計手段を有し、いずれか一方の２つの時刻を比較調整して、時刻情報の信頼性を向上させる。
【００４４】
第２ヘッドセット４０Ｂのマイクロホン１７で生成された第２の音声信号は、第２ヘッドセット４０Ｂの時計手段３３で得られた第２時刻情報とともに符合化され、第１ヘッドセット４０Ａに無線送信される。第１ヘッドセット４０Ａにおいても、時計手段３３で独自に第１時刻情報を得る。第１時刻情報と第２時刻情報は、第１ヘッドセット４０Ａの時計調整部４５に入力される。時計調整部４５は、第１時刻情報と第２時刻情報を比較し、同一または許容誤差範囲内である場合は、第１および第２の時刻情報を正しい情報として、記録作成部３５に供給する。２つの時刻情報が一致しない場合は、たとえばアラームなどにより補正を促すなどの方法がある。
【００４５】
図３の例では、２つのヘッドセットのみが図示されているが、時計調整機能付きのヘッドセットを用いたコミュニケーション記録システムは、会議など多人数で討論する場合に特に有効である。この場合、時計調整部４５は、すべてのヘッドセットから入力される時刻情報を比較し、大多数の時刻情報が一致している場合に、それを適正な時刻情報として記録作成部３５に供給する。これにより、記録内容の証拠能力がいっそう向上する。
【００４６】
図４は、図２に示すヘッドセットおよびシステムのさらに別の変形例を示す。
【００４７】
無線機能付きヘッドセット５０Ａは、時計手段３３に加えて、位置情報を取得するたとえばＧＰＳを利用した位置特定部４７を有する。ＧＰＳはアメリカ合衆国によって、航空機・船舶等の航法支援用として開発されたシステムである。このシステムは、上空約２万kmを周回する２４個のＧＰＳ衛星（６軌道面に４個ずつ配置）、ＧＰＳ衛星の追跡と管制を行う管制局、測位を行うための利用者の受信機で構成されている。航空機・船舶等同様に本ＢＴＨＳでは、４個以上のＧＰＳ衛星からの距離を同時に知ることにより、自分の位置等を決定する。ＧＰＳ衛星からの距離は、ＧＰＳ衛星から発信された電波が受信機に到達するまでに要した時間から求める。
【００４８】
位置特定部４７で得られた位置情報は、時刻情報とともに、情報作成部３５に入力される。情報作成部３５は、ヘッドセット５０Ａで検出されたユーザの第１音声と、ヘッドセット５０Ｂから送信されてきた別のユーザの第２音声に、時刻情報と位置情報を関連づけて、格納すべき情報を作成する。記憶手段３１は、時刻情報と位置情報が添付された音声信号を格納する。
【００４９】
このような構成では、会話の内容とともに、時間と場所を特定できるので、会話内容の証拠能力がいっそう向上する。
【００５０】
第１実施形態のコミュニケーション記録システムは、各人の行動範囲が広くなるグループ視察や、報告書作成に有効である。また、医療の現場や野外でのグループ教育への適用も期待される。たとえば、自宅介護の場合、派遣された介護士と、患者の双方がヘッドセットを着用して介護記録を取る場合、介護士の運動量は大きいので、両手が自由になるヘッドセットを着用して患者との間の会話を自動録音することが考えられる。録音内容には時刻情報が付加されるので、記録としての証拠性が高く、介護の信頼性が向上する。また、ヘッドセットの数をさらに追加して、第３者、たとえば看護婦や付き添い人を介在させることにより、さらに証拠能力を増すこともできる。
【００５１】
（第２実施形態）
図５は、本発明の第２実施形態に係る無線機能付きヘッドセットを用いたコミュニケーション記録システムを示す。第２実施形態では、無線機能付きヘッドセットと外部の機器とを組み合わせてシステムを構成する。図５の例では、１つの無線機能付きヘッドセット６０と、１つの外部機器７０でコミュニケーション記録システムが構成される。機器７０は、たとえば固定型のＢＴ機能付き機器（以下「ＢＴ機器」と称する）とする。
【００５２】
ヘッドセット６０は、装着者（ユーザ）の音声を検出して第１の音声信号を生成するマイクロホン１７と、第１の音声信号をＢＴ機器７０に無線送信し、ＢＴ機器から送信される第２の音声信号を受信する通信モジュール１１と、第２の音声信号を音声として出力するスピーカ１５を有する。
【００５３】
ＢＴ機器７０は、音声入力部としてのマイク７７を有する。図５の例では、マイク７７はケーブルによりＢＴ機器７０に接続されているが、ワイヤレスマイクであってもよい。ワイヤレスマイクの場合、ユーザの行動の自由度が広がり、利便性が増す。
【００５４】
ＢＴ機器７０はまた、ヘッドセットとの間で無線送受信を行う通信モジュール１１と、マイク７７で生成された第２の音声信号をデジタル変換する音声検出部８７と、時計手段８３を有する。ヘッドセットから受信した第１の音声信号と、マイク７７で生成された第２の音声信号は、情報作成部８５に入力される。時計手段３３で取得された時刻情報と、ヘッドセットの機器ＩＤも、情報作成部８５に入力される。情報作成部８５は、第１および第２の音声信号に、時刻情報および機器ＩＤを対応付けて、格納すべき情報を作成する。作成された情報は、記憶手段８１に格納される。
【００５５】
時計手段８３は、たとえば図６に示すように標準電波による電波時計である。電波時計は、時間情報をのせた標準電波を、内蔵された超高性能なアンテナ（電波受信手段）７１で受信し、時刻抽出部７２で、時刻を抽出、修正するものである。標準電波は、大鷹鳥谷山山頂付近に位置する「おおたかどや山標準電波送信所」から、原子時計における正確な時刻をのせて送信される。送信所の原子時計は、電波時計独立行政法人通信総合研究所日本標準時グループ（東京都小金井市）で原子時計によって作られた日本標準時と遠隔制御によって連動している。
【００５６】
時刻抽出部では、アンテナ７１で受信した時刻信号を増幅し、解読する。時計手段８３を電波時計とすることによって、必要に応じてＢＴ機器７０自体と、ヘッドセット６０の時計機能を補正できる。また、正確な時刻が情報作成部８５に供給されることになるので、録音内容の証拠能力が向上する。また、第１実施形態で述べたように、複数のヘッドセット間で通信、記録をする場合に、いずれかひとつのヘッドセットの時計手段を電波時計としてもよい。この場合、他のヘッドセットの時刻情報を正確な時刻に補正、統一することができる。結果として、システム全体で時間管理が正確に行なわれ、記録内容の信頼性（証拠能力）がいっそう向上する。
【００５７】
図５に戻って、ＢＴ機器７０を据え置き型とすることで、ヘッドセット６０の位置は、ＢＴ機器７０との接続によって自動的に特定され、記録される。すなわち、図示はしないが、時刻情報に加えて位置情報も情報作成部８５に入力され、より証拠能力の高い録音記録が作成される。
【００５８】
また、ＢＴ機器７０を据え置き型ではなく、たとえばＰＤＡなどのモバイル端末としてもよい。この場合、モバイル端末にＧＰＳ位置特定部を持たせることによって、位置情報を取得することができる。
【００５９】
さらに、ヘッドセット６０にも、記憶手段を設け、ＢＴ機器７０側で作成した記録を無線受信し、ヘッドセット６０内のメモリに格納する構成としてもよい。
【００６０】
図５に示すヘッドセットシステムは、たとえば、医療や教育の場に有効に適用できる。医療の場合を考えると、患者は保険証の交付とともにBヘッドセットを交付される、あるいは、病院に行った際に受付で個人用のヘッドセットを貸与される。ヘッドセットがメモリを有し会話内容を常時録音できる構成とする場合は、患者とヘッドセットは１対１対応であることが望ましい。ヘッドセット側にメモリがなく、病院側のＢＴ機器に会話内容を格納する場合は、任意の患者にヘッドセットを貸し出すことが可能である。
【００６１】
医師は、たとえばマイク７７を使って、固有のヘッドセット６０を装着した患者に現在の症状や注意事項を説明する。患者の質問に対する答えや、患者に対する問診事項もマイク７７を用いて行う。これらの通信内容は、患者のヘッドセットの機器ＩＤおよび時刻／位置情報とともに、自動的に記憶手段８１に格納される。患者とヘッドセットが１対１対応でない場合は、患者の声紋から患者ＩＤを起こして、あらかじめ格納し、対話の都度、機器ＩＤの代わりに声紋による患者ＩＤを用いてもよい。
【００６２】
このシステムを用いると、医師の側では、正しく説明、回答を行っている限りにおいて、録音記録により、正しい診察を行ったという事実の証明が得られる。
【００６３】
このような録音記録は、医療過誤に関する訴訟やインフォームドコンセント（Informed  Consent）の実施記録として活用することが可能となる。また、このシステムを用いることにより、医師の対応が改善され、患者の信頼を取ることも可能である。また、保険会社は、このようなコミュニケーション記録システムを採用する病院等に対しては、医療過誤訴訟に対する賠償保険の保険料率を下げるようなビジネスを導入することも可能になる。
【００６４】
一方、患者にとってのメリットは、医師からの症状の説明や注意事項などの重要事項を、万一、聞きもらしたり忘れたりしても、録音内容を後日再生して確認できる点にある。記録内容に時刻情報や位置情報が添付されているので、検索も容易である。患者固有のヘッドセットではなく、不特定多数の貸し出し用ヘッドセットを用いた場合でも、病院内の据え置きＢＴ機器で録音した記録内容を、ＭＤなどに格納して患者に渡すこともできる。さらに、待ち状況や呼び出しもヘッドセットを介して確認することができるというメリットもある。現在、何人前まで診察が行われているのかの情報が得られるので、待ち時間を有効に使用することができる。待合室から離れても、ヘッドセットを通じて呼び出しがかかるので安心である。さらに、待合室では、たとえば病院内に多数設置されるＢＴ機器から提供される自分の好きな音楽を聞くこともできる。
【００６５】
教育の場への適用においても、入学と同時に各生徒に固有のヘッドセットを交付することが考えられる。この適用例では、教育指導、進路指導、２者面談などの対話内容を、生徒のヘッドセットＩＤおよび時刻／位置情報と対応付けて、ディジタルデータとして保管することが可能になる。こうして保管された記録内容は、時間と場所、あるいは対話相手（生徒）が特定されているので、証拠能力が高い。
【００６６】
図５では、患者がヘッドセットを着用し、医師がマイクロホンを使用する例を示しているが、医師がヘッドセットを着用し、来診する患者にマイクロホンを渡して、会話内容をＢＴ機器７０に記録する構成としてもよい。ヘッドセット自体の構成は簡単になるので、ヘッドセットの小型化、軽量化が図られ、一方、ＢＴ機器には十分な容量が備わっているので、種々の記録を格納することができる。
【００６７】
ＢＴ機器の側に十分な容量がある場合、ヘッドセットとＢＴ機器の一方または両方に、カメラ機能を付加することができる。この場合、無線通信により交わされた会話内容とビデオ情報とが、時刻／位置情報と対応付けられて格納されることになる。
【００６８】
図７は、図５のシステム構成の変形例を示す。図７に示すコミュニケーション記録システムは、２つの無線機能付きヘッドセットと、１つの外部機器を含む。
【００６９】
具体例としては、第１のヘッドセットと９０Ａ、第２のヘッドセット９０Ｂと、これらのヘッドセットと無線通信により送受信可能な、たとえばブルートゥース規格によるＢＴ機器１１０とを含む。第１および第２のヘッドセット９０Ａ、９０Ｂは、それぞれ、装着者（ユーザ）の発語する音声を検出して第１の音声信号を生成するマイクロホン９７、第１の音声信号を機器１１０を介して第２のヘッドセットに送信し、第２のヘッドセットから送られてくる第２の音声信号を機器１１０を介して受信する送受信部１０８、１０９を有する。機器１１０は、第１および第２の音声の発生時刻を取得する時計手段１１３と、第１および第２の音声信号に時刻情報を対応付けて格納すべき情報を作成する情報作成部１１５と、作成された情報を格納する記憶手段１１１とを備える。
【００７０】
図７のシステムでは、図５のシステムで用いられた付属マイク７７付きのＢＴ機器７０に代わって、第２のヘッドセット９７とＢＴ機器１１０を用いる。したがって、たとえば医療の例でいえば、医師と患者の双方がヘッドセットを着用することになる。機器１１０は、据え置き型でもモバイル型でもよい。２つのヘッドセットの間で交わされた会話は、情報作成部１１５で時刻情報が添付されて、記憶手段１１に格納される。図５のシステムはインタビュー型の対話記録に適していたが、図７のシステムは、装着者の数や、行動範囲が拡大される。たとえばリハビリの場で、物理療法士と患者との間で交わされる会話に加えて、別室で指示を出す医師の言葉もすべて据え置き型の機器１１０にリアルタイム録音する場合に適する。録音内容にヘッドセットの機器ＩＤも対応付けられて記録される場合は、時間、場所に加えて対話相手も特定することができ、記録内容の証拠能力がさらに高まる。
【００７１】
また、介護の場では、介護士と患者とがヘッドセットを着用し、会話記録をヘッドセット内のメモリの代わりに、患者の自宅に据え置きの機器１１０に無線通信によりリアルタイムで格納することもできる。あるいは介護士がモバイル端末を持参して、モバイル端末内に記録するなど、適用範囲は広い。据え置き型の機器の場合、ヘッドセットがこの機器と接続することによって自動的に場所情報が得られることは、前述のとおりである。また、図５のシステムと同様に、いずれかのヘッドセットにカメラ機能を付加してもよい。この場合、音声、映像について、適宜、圧縮技術を用いて記録するようにしてもよい。
【００７２】
たとえば、介護士が被介護人の着替えを手伝う場合に「これから山田さんの着替えを行います」という音声とともに、着替え状況を映像としても記録することができる。後日、たとえば「着替え」をキーワードとして検索する場合、検索結果である「着替え」周辺の音声認識結果に加え、録音時の音声と映像とを再生することができる。
【００７３】
（第３実施形態）
図８は、本発明の第３実施形態に係るコミュニケーション記録システムの概略を示す。このシステムは、第２実施形態のシステムにテキスト変換機能を持たせたものである。図８では、図７に示す２つのヘッドセットと１つの機器で構成されるシステム構成を採用しているが，図５に示すように、１つのヘッドセットと１つの音声入力手段付きの機器で構成されるシステム構成であってもよい。
【００７４】
図８のコミュニケーション記録システムにおいて、機器１２０は、第１および第２のヘッドセット９０Ａ、９０Ｂから無線送信される第１および第２の音声を受信し、受信した音声を他方のヘッドセットへ送信する送受信部１１８、１１９を有する。受信された第１および第２の音声は、他方のヘッドセットへ送られると同時に、機器１２０の情報作成部１１５にも入力される。第１および第２の音声は、時計手段１１３によって得られた時刻情報と対応付けられて記憶手段１１１に格納される。
【００７５】
機器１２０はさらに、音声認識部１２１と、テキスト情報記憶部１２３を有する。音声認識部１２１は、情報作成部１１５で作成された音声データまたは記憶手段１１１に格納された音声データを、テキスト（文字列）変換する。テキスト情報記憶部１２３は、テキスト変換された情報を格納する。したがって、図８のコミュニケーション記録システムでは、機器１２０において、対話内容は音声として録音されると同時に、リアルタイムで文字情報としても記録される。
【００７６】
機器１２０はまた、キーワード認識部１２５を有し、録音された音声と記録されたテキストから、キーワードを抽出する。後日、キーワード入力部１２７から音声または文字でキーワードが入力された場合、キーワード認識部１２５は、そのキーワードが抽出されたキーワードである場合に、記憶手段１１１とテキスト情報記憶部１２３を検索して、簡単・迅速に希望の記録位置を特定する。特定された位置の音声またはテキストは再生され、機器１２０の表示画面に表示され、あるいはスピーカから出力される。
【００７７】
図９は、図８の音声認識部１２１の概略ブロック図である。音声分析部１３２および特徴抽出部１３３において、入力されたデジタル音声データから特徴パラメータを作成する。入力されるデジタル音声データは、所定のサンプリング周波数と量子化ビットでデジタル変換されている。音声分析部１３２は、フレーム長２４ｍｓ（ハミング窓）、フレームシフト８ｍｓで５１２点ＦＦＴ分析し、特徴抽出部１３３は，３２チャンネルのＢＰＦ群出力パラメータｘ（ｔ、ｆ）、ｆ＝１…３２を作成する。
【００７８】
音声量子化部５４３は、４８ｍｓの範囲の時間−周波数パターンを、８ｍｓずつずらしながら量子化することで音声セグメント時系列を出力する。第３実施形態では、２３５種類の音声セグメントを定義する。音声セグメント時系列は音素ＨＭＭから構成される単語ＨＭＭの連続とし表現できる。ここでのＨＭＭは、left-to-right型のＳＭＱ／ＨＭＭで、音素の前後関係を考慮して分類した三重音（triphone）を音素HMMに使用した。音響モデル１３６は、入力された音声の音響的な類似性を調べるためのHMM辞書である。一方、言語モデル１３７は、言語としての類似性を調べるための辞書であり、単語二重連鎖（bigram）、単語三重連鎖（trigram）を用いて、連続する単語の繋がり易さの情報を格納する。テキスト化部１３５では、音響モデル１３６、言語モデル１３７に加え、１０万５千の単語を蓄えた単語辞書１３８を用いて、音響パラメータを日本語テキスト候補系列に変換する。
【００７９】
キーワード抽出部１３９は品詞に基づき、たとえば、名詞や固有名詞などを、検索のためのキーワードとして抽出する。たとえば、ヘッドセット９０Ａを装着した介護士が、接話マイクロホン９７に「これから山田さんの着替えを行います。」と発後すれば、この音声は自動的に認識され、「山田」、「着替え」などのキーワードが抽出される。
【００８０】
抽出されたキーワードは、キーワード認識部１２５に送られ、必要に応じて音声データとしてもキーワード登録される。このように抽出されたキーワードを用いることによって、検索速度が速くなる。「着替え」などの介護の請求にかかわるものに関しては、自動的に登録され請求書の中に記載される。もちろん、最終的な確認は介護士がチェックする様にしてある。逆に、確かに着替えをしたときの状況を再確認したい時には、キーワード入力部１２７から、音声あるいは文字によって「着替え」を入力して検索すれば、「着替え」周辺のフレーズ「これから山田さんの着替えを行います。」が即座に検索され、再生される。キーワード認識部１２５は、キーワードが入力された方式、すなわち文字入力か音声入力かによって、記憶手段１１１とテキスト情報記憶部１２３を検索する。
【００８１】
図１０は、テキスト情報記憶部に格納される文字列の例を示す。ヘッドセット９０Ａ（機器ＩＤ４００００１）を着用した介護士が、ヘッドセットＢ（機器ＩＤ８０００１）を着用した被介護者が交わした会話内容がテキスト変換され、時刻情報とともに格納される。テキスト化された文字列に対応する波形は、ヘッドセット９０のマイクロホン９７で音波として検出された波形であり、テキスト情報記憶部の中には格納されていないが、対応関係を示す便宜上、図１０で示している。
【００８２】
図８〜９に示すシステムでは、記録時に音声認識部を用い、入力された音声を文字としても格納している。しかし、記録の格納は音声データだけで行い、再生時に音声認識部を動作させて、文字列として再生させる構成としてもよい。
【００８３】
このようなコミュニケーション記録システムでは、無線通信により交わされる対話内容が、音声データとしてリアルタイムで録音されると同時に、文字としても記録されるので、記録としての利用価値が高い。
【００８４】
また、キーワードを抽出することによって、検索が容易になる。
【００８５】
（第４実施形態）
図１１および図１２は、本発明の第４実施形態に係る無線通信機能付きヘッドセットと、これを用いたコミュニケーション記録システムの概略図である。第４実施形態では、対話内容の記録に際して、記録することへの合意あるいは許可がある場合にのみ記録を行う構成を説明する。図１１では、記録される方（ヘッドセット１４０Ｂを着用したユーザ）に記録許可の決定権がある例を、図１２では記録する方（ヘッドセット１６０Ａを装着したユーザ）に記録許可の決定権がある例を示す。
【００８６】
本発明では、ヘッドセットを着用して通信を開始すると、自動的に通信内容（対話内容）が記録されることを前提としているが、状況、対話内容によっては記録が望ましくない場合も当然ある。対話を交わしたユーザの間であらかじめ記録の合意がある場合はよいが、そうでない場合は、たとえばプライバシー侵害の問題が生じる。
【００８７】
記録の合意を得るための１つの方法として、特定のヘッドセットを装着しているということをもって合意したとみなす方法がある。例えば、患者がヘッドセットを装着していれば、その時に発声し入力された音声は記録されても異存はないとあらかじめみなす方法である。この場合、図１１に示す例では、患者がヘッドセット１４０Ｂを装着した時点で、医師のヘッドセット１４０Ａの記録中表示部が作動する。患者はこれを見て、記録に同意していればそのままヘッドセットを介して対話すればよい。同意できない場合には、記録を止めてもらうように依頼する。
【００８８】
２つ目の方法は、記録（録音）する側で、特定の相手、場所、時間に対しては事前に記録することの同意を得ておき、登録しておく方法である。図１１および図１２は、この２つめの方法を実現するためのシステム構成を示す。
【００８９】
医療への適用を例に取ると、図１１では患者が着用するヘッドセット１４０Ｂが、許可情報記憶手段１５３と、記録許可判定部１５１を有する。許可情報記憶手段１５３は、たとえば図１３に例示する記録許可情報を格納する。許可情報記憶手段１５３へは、図示しない入力手段を介して、適宜、記録許可情報を書き込めるものとする。記録許可判定部１５１は、許可情報記録手段を参照して、対話内容の記録が許可されるべきかどうかを判断し、判断結果を医師のヘッドセット１４０Ａへ自動的に無線送信する。
【００９０】
たとえば図１３（ａ）の例では、患者のヘッドセット１４０Ｂには、時間や場所にかかわらずＢ医師との会話についてのみ記録を許可する条件が設定されている。ここでアスタリスク「＊＊＊」は、特に条件がないことを示す。相手がＢ医師であることを特定するためには、B医師のヘッドセットとの接続状況を用いればよい。すなわち、患者のヘッドセット１４０Ｂが、Ｂ医師が装着する機器ＩＤが100001のヘッドセット１４０Ａと通信を開始したときに、この通信内容の記録は許可されると自動判定され、判定結果が医師のヘッドセット１４０Ａに無線送信される。医師のヘッドセット１４０Ａでは、この記録許可の判定を受けて、対話内容の記録を自動的に開始する。このとき、患者側のヘッドセット１４０Ｂは記録許可中である旨を、例えば緑色のランプで表示する。一方、医師のヘッドセット１４０Ａは、記録中であることの表示を行う。
【００９１】
同じ患者がＢ医師以外のＣ医師の診断を受ける場合は、記録許可判定部１５１は許可情報記憶手段１５３を参照し、Ｃ医師のヘッドセットの機器ＩＤに基づいて、この対話は記録許可されるべきではないと自動判定する。この場合、患者のヘッドセット１４０Ｂの許可中表示部１４６は作動せず、例えば、ランプが点灯しない。判定結果はＣ医師のヘッドセットに無線送信され、Ｃ医師のヘッドセットは、この患者との対話の記録は行わない。
【００９２】
図１３（ｂ）のように、時間や場所にかかわらず、Ａ病院のすべての内科医師との会話について記録を許可するように登録することもできる。この場合も同様に、内科医師がそれぞれ装着するヘッドセットの機器ＩＤとの接続に基づき、記録が許可されるか否かを自動判断し、判断結果を医師のヘッドセットに送るとともに、許可中表示部１４６の表示状態を制御する。
【００９３】
同様に、図１３（ｃ）の例では、時間や会話相手にかかわらず、Ａ病院の内科診察室に入った場合にのみ記録を許可するように登録をしている。Ａ病院の内科診察室に第２実施形態で説明したような据置き型ＢＴ機器（図８）が設置されている場合は、この機器と患者のヘッドセット１４０Ｂが接続されることによって場所情報が自動的に検出され、記録許可判定部で記録許可の判定を行う。この判定結果は医師のヘッドセット１４０Ａへ無線通信され、一方、患者のヘッドセット１４０Ｂの許可中表示部１４６点灯する。
【００９４】
図１３（ｄ）の例では、Ａ病院に入ったときに記録許可される。この場合は、Ａ病院内に設置されている据置き型ＢＴ機器や、病院関係者が装着する２以上のヘッドセットとの接続が成立したときに、場所情報が検出され、記録許可の判定が出される。
【００９５】
図１３（ｅ）の例では、Ａ病院の内科診察室において、１２月２０日から３ヶ月間についての対話内容の記録を許可する条件が設定される。また、図１３（ｆ）のように、１２月２０日から３ヶ月間にＡＮＤ条件で治療終了までの期間を時間条件に加える、あるいは図１３（ｇ）のように、１２月２０日から３ヶ月間にＯＲ条件で治療終了までの期間を時間条件に加えることもできる。
【００９６】
このように、同意に基いて記録をとることによって、録音した内容の信用性や証拠能力が格段に高まる。
【００９７】
もちろん、同意、不同意を確かめるまでもなく、ある特定の行為に対しては録音することを、例えば法律などによって許可するようにもできる。この場合、医師のヘッドセット１４０Ａの録音中表示部１４４は、例えば赤く点灯するが、患者は気にせずに話した場合は対話内容が記録される。
【００９８】
図１２の例では、記録する側のヘッドセット１６０Ａが許可情報記憶手段１７３と記録許可判定部を有する。すなわち、ヘッドセット１６０Ａは、装着者の音声を検出して第１の音声信号を生成するマイクロホン１６７と、この音声信号を近距離無線通信により第２のヘッドセット１６０Ｂに送信し、第２のヘッドセット１６０Ｂから返送される第２の音声信号を受信する送受信手段１７８、１７９と、記録が許可される条件を格納する許可情報記憶手段１７３と、許可情報記憶手段１７３を参照して第１および第２の音声信号を記録すべきか否かを判断する記録許可判定部１７１と、記録許可判定部１７１が記録を許可した場合に、第１および第２の音声信号に基づいて格納すべき情報を作成する情報作成部１７５とを備える。
【００９９】
図１２のシステムでは、対話相手の許可を得るのではなく、記録する側において、特定の状況（特定の相手、場所、時間など）でのみ対話記録が許可される。
【０１００】
たとえば、あるプロジェクトを組んでいるグループが，メンバーと対話するときはプロジェクトに関する話題が多いので、メンバーと話すときには自動的に記録が許可されるなどである。この場合も、図１１の場合と同様に、図１３に示す許可情報をあらかじめ格納しておく。
【０１０１】
第３実施形態に係る無線通信機能付きヘッドセットと、これを用いたコミュニケーション記録システムでは、常時通信、常時記録を前提としつつも、記録が望ましくない場合を考慮して、一定の条件の下で記録が許可されるか否かを判断する。これによって、ヘッドセット間の対話のプライバシーが保護され、システムの利便性が向上する。
【０１０２】
（第５実施形態）
図１４は、本発明の第４実施形態に係る無線通信機能付きヘッドセットと、これを用いたコミュニケーション記録システムを示す。第３実施形態では、対話相手、場所、時間など、あらかじめ記録を許可する条件を設定し、対話内容を記録するか否かを自動的に判断していた。第４実施形態では、対話中に突発的に秘匿にすべき内容が生じたときに、ヘッドセットの装着者（ユーザ）の意思でオフレコ指示を設定する構成を提供する。
【０１０３】
例えば、複数の医師が常時記録を前提とする無線通信機能付きヘッドセットを装着して会話している途中に、患者のプライバシーに関して情報交換する必要が生じた時、その部分を秘匿にする必要がある。そこで、第４実施形態に係るヘッドセット１６０Ｃは、第１実施形態に示した基本構成に加えて、オフレコ設定手段をさらに有する。図１４に示す例では、オフレコ設定手段は、ヘッドセット１６０Ｃに設けられたオフレコスイッチ１７２で実現される。ヘッドセット１６０Ｃのユーザは、秘匿が必要とされる話題が発生したときに、オフレコスイッチ１７２を押し、オフレコモードにして発話する。オフレコモードは、再度オフレコスイッチが押されてモードが解除されるまで継続される。
【０１０４】
情報作成部１７５は、オフレコモードの指示と、オフレコモードの開始時刻および終了時刻を、音声データに対応付けて格納すべき情報を作成する。オフレコモードの指示は、たとえば、音声データのうち、オフレコが指示される区間の前後にオフレコタグを付与する。オフレコモードでは、音声はそのまま録音されるが、オフレコのタグが付与されているので、再生時にオフレコタグが検出されることになる。オフレコタグが検出された場合に、再生を禁止する、あるいは、対話した当事者の許可がないと再生しないなどの、厳しい再生制限を課す。
【０１０５】
図１４の例では、記録（録音）機能を有する第１のヘッドセット１６０Ｃにのみオフレコスイッチ１７２が設けられているが、第２のヘッドセット１６０Ｄにも同様のオフレコスイッチを設けてもよい。この場合、会話相手である第２のユーザもオフレコ指示の設定を要求できる。第２のユーザによるオフレコ指示要求は、無線通信を介して第１のヘッドセット１６０Ｃの情報作成部１７５に入力され、音声データにオフレコタグが付与される。オフレコタグの付与は、オフレコ支持を設定したユーザの機器ＩＤと対応づけて行うのが好ましい。このようなオフレコモードの設定は、基本的には相手の承諾は必要でなく発声者の意図で設定することができる。
【０１０６】
また、図１４の例では、オフレコ設定手段をヘッドセットに設けられたオフレコスイッチ１７２としているが、音声コマンドによってオフレコモードを指示することも可能である。この場合は、ヘッドセット１６０Ｃは、第３実施形態に示した音声認識部（図８）をさらに有し、標準コマンドとして例えば「オフレコ」「ここからオフレコ」「オフレコ解除」などのコマンドを登録しておく。ヘッドセットの装着者が音声認識モードに移行するための特定キーワードを発声して音声認識モードに移行した後に、上述したオフレココマンドを発声すると、オフレココマンドが音声認識され、対応する処理（オフレコ開始、オフレコ解除）が実行される。この場合も、オフレコ設定は、オフレコ指示を発生したユーザのヘッドセットの機器ＩＤあるいはユーザの声紋と対応付けて行うことが望ましい。
【０１０７】
図１４のシステムに音声認識部を持たせると、ヘッドセットで音声認識処理を行うことになるが、図８に示すように、据置き型のBT機器で音声認識を行うようにしてもよい。いずれの場合も発声した音声を認識し、その結果により、オフレコモードの設定、解除の処理が実行される。
【０１０８】
第５実施形態に係る無線通信機能付きヘッドセットと、これを用いたコミュニケーション記録システムによれば、あらかじめ予想されない秘匿情報が突発的に会話された場合に、ヘッドセットの装着者の意思によって、オフレコにすることが可能になる。これいより、会話のプライバシーが保護され、ヘッドセットの信頼性と、コミュニケーション記録システム全体の信頼性が向上する。また、ユーザの意思でオフレコモードを設定できるので、利便性にすぐれている。
【０１０９】
（第６実施形態）
図１５は、本発明の第６実施形態に係る無線通信機能付きヘッドセットと、これを用いたコミュニケーション記録システムを示す。
【０１１０】
第６実施形態では、常時録音のヘッドセットを前提としつつ、記録は行ったが再生することが抑止されるべき状況にも対処することのできるヘッドセットとシステムを提供する。
【０１１１】
図１５に示すように、無線通信機能付きヘッドセット１８０Ａは、第１実施形態と関連して図２に示した基本構成に加えて、再生判定機能を有する。すなわち、再生許可情報記憶部は、記憶手段１９１に格納された音声データの再生が許可される条件をあらかじめ格納する。再生判定部２０３は、再生要求があった場合に、再生許可情報記憶部２０１を参照して音声データを再生すべきか否かを判断する。判定の結果、再生が許可された場合に、記憶手段１９１に格納されている音声データが音声再生器１９７に供給される。第１実施形態で述べたように、音声データが暗号化されている場合には、復号手段（不図示）で複合を行ってから音声再生器１９７に供給される。
【０１１２】
図１６は、再生許可情報の例を、図１７は、録音が行われ、それを再生するときの態様を示す。図１６では、再生許可条件として、再生許可場所、許可内容、再生担当者などを設定する。たとえば、図１６（ａ）では、いずれの条件についても制限を加えていない。再生判定部２０３は、これらの条件に一致する場合にのみ再生を許可する。再生態様として、ヘッドセットで録音された内容を、同じヘッドセットで再生してもよいし（図１７（ｂ）の再生方法１）、着脱式のメモリカードの場合は、ヘッドセットで録音した内容を、ＰＣなどの機器で再生してもよい（図１７（ｂ）の再生方法２）。また、あらかじめ録音自体もＰＣで行い、ＰＣで再生する態様もある（再生方法２）。
【０１１３】
なお、図１７（ａ）は、図１記録時の態様として第２実施形態で述べた２つのヘッドセットと１つの外部機器とを用いたシステムで、対話内容を機器に録音する例を示しているが、２つのヘッドセットのいずれかに録音する構成、１つのヘッドセットと１つの音声入力機能つきの機器でシステムを構成し、機器に録音する構成も当然ありえる。
【０１１４】
図１８は、図１６（ｂ）〜１６（ｄ）のように、再生担当者が設定されている場合の再生許可判断を示す。再生許可条件記憶部２０１は、許可条件として指定された再生担当者ＩＤを格納する。情報作成手段１９５は、音声情報に再生許可条件である再生担当者情報を関連づけ、記憶手段１９１に格納する。
【０１１５】
再生判定部２０３は、再生要求があった場合に、再生要求をした人物と許可された再生担当者が同一であるかどうかを認証する。図１６（ｂ）のように、再生担当者が「Ａ病院の医師」となっている場合は、再生担当者入力部２０５からＡ病院内の医師ＩＤを入力するように促す構成としてもよい。図１６（ｃ）、（ｄ）のように、「Ｂ医師」、「会話相手」と個人を指定する場合には、パスワードや生体情報（声紋や顔、網膜など）により個人認証を行う構成としてもよい。
【０１１６】
判定の結果、同一人物であると判定された場合に、音声データは記憶手段１９１から音声再生器１９７に供給され、スピーカ１８５から出力される。
【０１１７】
図１６（ｅ）のように、再生許可場所について指定がある場合は、たとえば備え付けられている固定型のＢＴ機器との接続により場所を特定できる。またヘッドセットがブルートゥース規格に基づく場合は、ブルートゥースのポジショニング機能を用いる、そうでない場合は、ヘッドセットに内蔵した位置特定機能（図４参照）を用いるなどにより再生許可判断できる。
【０１１８】
図１９は、再生場所の指定と関連して、再生に特定の機器だけを用いることが条件として設定されている場合の再生許可判断を示す。再生許可情報記憶部２０１は、許可条件として指定された再生機器ＩＤを格納する。情報作成手段１９５は、音声情報に再生許可条件である再生機器情報を関連づけ、記憶手段１９１に格納する。再生判定部２０３は、記憶手段に格納された音声情報に関連づけられた再生許可の機器情報と、再生に用いられる機器ＩＤが同一であるか否かを判断する。同一である場合に、記憶手段１９１に格納された音声データを音声再生器１９７に供給し、スピーカ１８５から出力する。
【０１１９】
図２０は、図１６（ｆ）に示すように、再生許可条件として対話内容、たとえば「診察内容」が設定された場合の再生許可判断を示す。情報作成部１９５は再生許可情報記憶部２０１に格納されたキーワードを参照して、音声データにキーワード情報を対応付けた情報を作成する。記憶手段１９１は、指定されたキーワード情報とともに、音声データを格納する。
【０１２０】
記録内容が再生許可の条件に設定されている場合は、図２１に示すように、記憶手段１９１に格納されている音声データに対して音声認識部２２１で音声認識処理を行い、第３実施形態で説明したように、キーワードを抽出する。この場合、再生判定部２０３は、抽出したキーワードと指定された再生内容の条件が合致した場合に、キーワードを含む一定区間の音声の再生を許可する。
【０１２１】
例えば、介護における「着替え」をいうキーワードが再生許可条件に設定されている場合、確かに着替えをしたときの状況を再確認するために、「着替え」をキーとして検索すれば、区間決定手段２２３で、このキーワードを含む一定区間として、「これから山田さんの着替えを行います。」というフレーズを特定する。規則合成手段２２５は、特定された区間の音声を再生し、スピーカ１８５で出力する。
【０１２２】
録音時に、発声者が内容を特定するキーワード、例えば「ここから病状説明」、「以上で病状説明終了」などの言葉を意図して入力した場合には、キーワードの抽出が容易になり、指定された許可内容に該当する区間の音声のみを正しく再生することができる。発声者によっては、意図してキーワードを入力した方が、後に正しい再生が行われるならば、その方が効果的な利用が可能となる。
【０１２３】
図２２は、再生制限の別の例として、記録内容を合成音により再生する例を示す。
【０１２４】
記録されたままの肉声と、テキストから人工的に合成された音声とでは、伝わる情報量が大きく異なる。例えば、上司の音声と同僚の音声では、言語的には全く同じでも、聞く側の心理的な影響度が異なる。再生を行う場合、再生判定部２０３で指定された再生条件に合致した場合、これまで説明したように、そのまま音声再生器１９７に送って音声を再生し、スピーカ１８５から出力する方法のほかに、音声を合成して出力する手段を備えることが好ましい。
【０１２５】
この場合、再生要求の対象である音声データを音声認識部２１１で認識してテキストに変換することにより言語情報のみを抽出する。次に、このテキストを合成判定手段２１３、さらには規則合成手段２１５に供給し、規則合成により異なる音声に再変換する。スピーカ１８５からは合成された音声が出力される。この構成では、肉声に含まれる感情や、個人性などを排除した音声を出力することができる。例えば、会議などでの感情的な発言に対して、それらを後で聞き判断を下す場合に、肉声を聞いたのでは冷静な判断ができないと考えられる場合に利用するなどの場面が考えられる。また、逆に、個人性やその場の状況をリアルに再現するためには、記録された音声をそのまま聞くほうがよい場合もある。
【０１２６】
このような規則合成手段を用いる構成を、上述した再生許可情報と組み合わせて利用してもよい。例えば、再生許可情報として発声内容が指定されている場合には、図２１に示すようにキーワードスポッティングにより抽出されたキーワードを含むある区間のテキストを規則合成手段に送り、合成音を作成し、出力することもできる。なお、合成音で再生するか、肉声で再生するかの判断は、再生判定手段の内部で行うが、この指示は記録する際の発声者による指示、あるいは、再生して聞く側の指示のいずれに基づいてもよい。
【０１２７】
ただし、発声者により、記録された音声のうち、指定された音声区間について肉声でのみ再生可能などの情報が付与された場合には、聞く側が合成音で聞くように指定しても、その要求を棄却し、強制的に肉声で再生するような制御を行うようにすることも可能である。いずれにしても、合成音でも、肉声でも聞けるような仕組みをもつことがポイントであり、その運用について、様々に変形して利用することができる。
【０１２８】
また、記録された情報は、複数の発声者、たとえば介護士と被介護者の音声を記録したものであるので、再生を双方同意した場合に限定する方式をとることも可能である。また、医師と患者の場合にあっては、法律などでオーソライズされた医師あるいは法曹、行政担当官などが、同意によらず復合化できるようにしてもよい。
【０１２９】
図２３は、再生制限の別の例として、一定条件下で再生を許可するのではなく、一定部分の再生を禁止する構成を示す。この構成例では、ヘッドセットは、再生判定手段のほかに、音声認識部２２１、再生抑止判定手段２３３、再生抑止手段２３１を有する。図１６で再生許可条件として列挙した再生担当者、場所、再生内容などは、図２３の再生禁止条件として使用することができる。
【０１３０】
図２３の例では、再生担当者が再生禁止指定される場合と、一定のキーワードが再生禁止される場合の例を示す。再生担当者が禁止される場合は、情報作成部１９５で音声データに禁止される再生担当者情報を対応付けて格納情報を作成する。一定キーワードが再生禁止される場合は、音声データに制限キーワード情報を対応づけて格納情報を作成する。
【０１３１】
再生判定手段２０３は、再生担当者が禁止されている場合は、記憶手段１９１に格納された音声データに含まれる禁止された再生担当者情報と、再生しようとしている担当者とが同一であるか否かを判断する。同一の場合は、再生抑止手段２３１により、この音声データの再生は行われない。すなわち，再生が禁止された担当者が再生要求を行っても、音声は再生されない。
【０１３２】
所定のキーワードについては、まず、音声認識部２２１で記憶手段１９１に格納された音声が認識され、再生抑止判定手段２３３で、認識された内容が制限キーワードを含むか否かが判断される。制限キーワードを含む場合は、再生抑止手段２３１により、再生が抑止される。具体的には、妨害音で再生音を変換する、制限キーワードそのものをスキップするなどして、再生音が聞けないように制御する。同様に，再生禁止場所が設定された場合も、条件が合致した場合には、禁止された場所に対応する音声部分は再生しないように制御する。
【０１３３】
さらに第５実施形態で述べたように、所定区間にオフレコタグが付与されている場合は、再生判定部２０３でオフレコタグを検出し、タグで特定される区間については再生を抑止する。再生判定部２０３は、情報作成部１９５で音声とリンクして記録されている発声者情報（ユーザ情報）を参照する。オフレコモードを設定した本人の許可を必要とすると判断した場合には、プライバシー問題、機密事項など第三者に開示されると重大な問題に繋がる場合が想定されるので、認証部（不図示）で認証を行う。すなわち、オフレコ区間を再生しようとする人間（ヘッドセット装着者）と、オフレコモードの設定者として記録されている人間の照合をおこなうため、例えば再生要求者に対してパスワードの入力を促す、あるいは、発声を促し音声情報を用いた認証などを行う。オフレコ区間の再生が許可されなかった場合には、オフレコタグにより指定された区間については、白色雑音やビープ音などを出力する、あるいはこの区間をスキップして出力するなどの処理がなされる。
【０１３４】
また、図示はしないが、ヘッドセットに認証部を設け、記録内容が裁判などで証拠として要求されていると判断された場合に、本人の許可なくオフレコ部分を再生することができるスーパーバイザーを認証する機能を設定することもできる。スーパーバイザーには、例えば社会的に認知された存在であり、第三者として正当な判断が可能である裁判官などが相当する。
【０１３５】
第６実施形態の無線通信機能付きヘッドセットと、これを用いたコミュニケーション記憶システムでは、再生されなくない対話内容については再生が抑止されるので、対話内容のプライバシーが保護される。
【０１３６】
（第７実施形態）
図２４および２５は、本発明の第７実施形態に係るコミュニケーション記録システムを示す。第７実施形態では、ヘッドセット自体、およびコミュニケーション記録システム全体のセキュリティを向上できる構成を提供する。図２４の例では、ヘッドセット間で送受信される音声信号にウォーターマーク（Watermark）と呼ばれる電子透かしを付与する構成を、図２５では、ヘッドセットの装着者が適正なユーザであることを認証する構成を示す。
【０１３７】
図２４のコミュニケーションシステムでは、再生されスピーカから出力された音声が別の機器に録音され、不正な利用をされた場合の対策として、電子的な透かしを用いる。ヘッドセット２４０Ａと２４０Ｂは、機器２５０を介して対話を行う。たとえば、ヘッドセット２４０Ａのマイククロホン２４２で生成された第１の音声信号は、符合化・送信手段２４８から、まず機器２４０に無線送信される。機器２５０では、受信した第１の音声信号を情報作成部２５５に供給するとともに、電子透かし付与手段２６５にも供給する。電子透かし付与手段２６５は、第１の音声信号に電子透かしを付与し、符合化・送信手段２６８から第２のヘッドセット２４０Ｂへ第１音声信号を無線送信する。
【０１３８】
同じく、第２のヘッドセット２４０Ｂでは、受信しスピーカ２４３から出力された第１音声信号の内容に対して応答してユーザが発した音声から、第２の音声信号を生成し、第２の音声信号を、符合化・送信手段１４８から機器２５０に無線送信する。
【０１３９】
機器２５０は、受信した第２の音声信号を情報作成部２５５に供給するとともに、電子透かし付与手段２６５にも供給して電子透かしを付与する。電子透かしが付与された第２音声信号は、無線通信を介して第１のヘッドセット２４０Ａに送信される。
【０１４０】
電子透かしが付与された音声信号は、たとえば、スピーカから出力された後に別の録音装置などに録音される。しかし、それを再生しようとすると、かならず電子透かしが検出されることになる。したがって、仮に悪意のヘッドセットユーザに無許可で録音され、内容が悪用された場合であっても、録音された音声からウォーターマークが検出されれば、不正なルートで入手した音声情報であると判別される。例えば、裁判で証拠資料として録音内容を悪用した人間に、オリジナルの録音音声を提出させてウォーターマークの有無を確認することで、不正な操作により入手した情報か否かを決定することができる。
【０１４１】
なお、図２４の例では、２つのヘッドセット２４０Ｂと、ＢＴ機器２５０とでシステムを構成しているが、図８に示すように、１つのヘッドセットと、１つの音声入力手段付きのＢＴ機器とでシステムを構成する場合にも、電子透かしが適用されることは言うまでもない。
【０１４２】
図２５の無線通信機能付きヘッドセット２７０Ａは、ヘッドセットの装着者が適正なユーザであることを認証すべく、認証部２９３を有する。ヘッドセット間のコミュニケーションの場合、ヘッドセットの正当な使用者が発信している情報であることを通信相手（機器）に照明する必要がある。音声は日常的に使用され、使用者の負担にならないため、話者認証による認証システムは古くから知られていた、しかし、従来の話者認証システムでは、（１）あらかじめ話者を登録しておく必要がある、（２）話者の声質の経時変化に弱いため、しばしば音声を登録しなおす必要があり、そうしない場合は、照合精度を落として認証が通りやすくする必要がある、（３）登録の都度、マイクを設定する、あるいは装着する必要がある、などの問題があった。
【０１４３】
このような問題に対し、図２５の無線通信機能付きヘッドセット２７０Ａでは、記憶手段２８１は、格納すべき対話内容のほかに、ヘッドセット２７０Ａのマイク２７７で生成された音声信号を格納し、これを毎回更新する。認証部２９３は、今回マイク２７７で生成された音声信号と、記憶手段２８１にある更新された最新の音声信号とを比較して、今回採取された音声が、過去に一定時間以上連続して収集された話者の音声と一致するか否かを判断する。一致する場合に一致結果を、ヘッドセット２７０Ａの機器ＩＤとともに，符合化・送信手段２８８に出力する。符合化・送信手段２８８では、認証結果を合わせて、ヘッドセット２７０Ａから第２のヘッドセット２４０Ｂへ音声信号を無線送信する。第２のヘッドセット２４０では、認証結果を参照することによって、ヘッドセット２７０Ａの正当なユーザからの発信であると確認できる。
【０１４４】
このような構成によれば、たとえば第三者が不当にヘッドセット２７０Ａを使用した場合でも、一定時間以上音声を入力していなければ、正当なユーザとは判定されない。この場合、認証がなされない状態で第１音声が第２のヘッドセット２７０Ｂに送信される。第２のヘッドセット２７０Ｂの受信手段で認証の有無を判断することによって、ヘッドセット２７０Ａが不正に使用されているかどうかが判明する。
【０１４５】
また、ヘッドセット２７０Ａの正当なユーザに、風邪などによる声の変調があっても、ユーザが発声するたびに記録されている音声特徴が更新されるため、一定時間音声をマイクロホン２７７に入力する限り、正しく判断される。
【０１４６】
ヘッドセット２７０は、基本的に常時通信、常時記録を前提としているので、常時ユーザの頭部に装着されており、認証のためのユーザの負担は非常に少ない。このような認証機能を設けることにより、ヘッドセット自体の、そしてこのヘッドセットを用いたコミュニケーション記録システムのセキュリティが格段に向上する。
【０１４７】
（第８実施形態）
図２６は、本発明の第８実施形態に係る音声コミュニケーションの制御方式を示す図であり、図２７は、このような音声コミュニケーション制御方式を適用した無線通信機能付きヘッドセットとコミュニケーション記録システムの図である。
【０１４８】
第８実施形態では、聞かせたい、聞かせてもいい、聞かせたくないという送信側の心理状態や、聞きたい、聞いてもいい、聞きたくないという受信側の心理状態を考慮し、送信側と受信側の状態の組み合わせを見て、音声コミュニケーションの制御方式を決定する構成を提供する。
【０１４９】
すなわち、図２６に示すように、聞かせたい、聞きたいといったユーザの状態は、無線通信機能付きヘッドセットの音声コミュニケーション状態入力部（選択部）３０を介して、音声コミュニケーションの制御方式決定部３２１に入力される。制御方式決定部３２１へは、環境情報、ヘッドセットの利用者関係情報、コミュニケーション制御方式指示情報なども入力される。
【０１５０】
制御方式決定部３２１では、ユーザにより選択された状態や各種情報を参照して、ヘッドセット間で行われるコミュニケーションの制御方式を決定する。音声コミュニケーション実行部３２３では、決定された制御方式に基づいて、音声入出力の有無、音量・音質レベル制御、録音再生制御などを実行する。
【０１５１】
上述した情報のうち、環境情報は、ヘッドセットを装着したユーザが行動している場所、時刻、活動状態、温度、勤務状態、忙しさなど、非意図的な利用者の環境（状態）に関する情報である。例えば、ヘッドセットのユーザが医師と患者である場合には、環境情報を参照して、病院内にいる場合には音声情報の録音、再生は許可される。また、組織のあるプロジェクトのメンバーは、プロへジェクトメンバーが一緒の時だけは録音と再生が可能になる、所属する企業・組織の建物内だったら記録、再生可能とする、などが決定される。このような環境情報を考慮することにより、人間の記憶機能の増強とプライバシー・セキュリティ機能を強化の一石二鳥が達成できる。
【０１５２】
ヘッドセット利用者関係情報とは、ヘッドセットのユーザ間の人間関係、たとえば、医師と患者、医師と看護婦、教師と生徒、組織の上司と部下、警察官と容疑者、販売店と顧客、親と子供、といった人間関係情報である。この情報は、プライバシーやセキュリティの制御を人間関係に応じて適宜コントロールするために利用される。このように、人間や社会文化的側面を考慮することによって、ＩＴ技術が新しい価値や安心度、安全性、ＰＬ問題などへも対処することが可能になる。
【０１５３】
制御指示情報は、特定の通信、記録等に関する指示情報である。たとえば、ある時刻になると、無線通信により患者の心臓をモニタする、計器の値をチェックする、それらの値を取り込むなどである。
【０１５４】
これらの情報を用いると、たとえば、ヘッドセットの着用者が医師と患者の場合に、医師のアドバイスや投薬の指示が、時刻や、モニタ情報に基づいて可能になる。このように、ヘッドセットのコミュニケーション状態と併せて、あるいは単独で、利用者関係情報、環境情報、制御指示情報の少なくともひとつを用いることによって、よりきめ細かな通信制御が可能となる。
【０１５５】
図２７は、図２６のコミュニケーション制御方式を適用した無線通信機能付きヘッドセット３００Ａ、３００Ｂを用いたヘッドセットシステムの概略構成図である。
【０１５６】
このヘッドセットシステムは、無線通信機能付きの第１のヘッドセット３００Ａと第１のヘッドセットと無線通信可能な第２のヘッドセット３００Ａを含む。
【０１５７】
第１および第２の各ヘッドセットは、装着者の音声を検出して第１の音声信号を生成するマイクロホン３０７と、第１の音声信号を他方のヘッドセットに送信し他方のヘッドセットから送られてくる第２の音声信号を受信する送受信手段３１８、３１９と、装着者によってコミュニケーション希望状態が選択される状態選択部３０１とを備える。
【０１５８】
第１のヘッドセット３００Ａのマイクロホン３０７で検出された音声信号は、音声コミュニケーション実行部３２３に入力される。ヘッドセット３００Ｂが送信した音声信号もまた、音声コミュニケーション実行部３２３に入力される。一方、ヘッドセット３００Ａのユーザは、状態選択（入力）部３０１を介して自己の現在のコミュニケーション希望状態を入力する。この第１状態は制御方式決定部３２１に入力される。ヘッドセット３００Ｂのユーザも同様に状態を選択し、この第２状態は無線送信を介して制御方式決定部３２１に入力される。制御方式決定部３２１は、入力されたこれらの状態に基づき、音声コミュニケーションの制御方式を決定する。
【０１５９】
制御方式決定部３２１にはまた、上述したように環境情報、利用者関係情報、制御指示情報が入力され、必要に応じてこれらの一部または全部を勘案して、制御方式を決定する。
【０１６０】
音声コミュニケーション実行部３２３は、決定された制御方式により、たとえば、再生する場合には、定められた音量・音質に変換した後、音声再生器３１７に出力する。また、録音する場合には、情報作成部３１５に出力される。
【０１６１】
図２８は、種々の状態を格納した音声コミュニケーション状態テーブルの一例である。本発明で提供する近距離無線機能付きヘッドセットの特徴は、単にコードを無くして電話のように音声通話をするだけではなく、音声やオーディオ信号の通信（コミュニケーション）と、音声利用した各種対話（インタラクション）が、人間と情報機器、人間と人間との間で、いつでも、どこでも、誰とでも、行動しながら可能とすることである。まさに、理想的なユビキタス、かつ、ウェアラブルな機器であり、人間に最も身近な情報機器である。このようなヘッドセットに、上述した実施形態で述べたような音声認識・理解、音声合成、音声対話技術を融合させることで新しい価値が創出される。
【０１６２】
しかし、その便利さの代償として、インターネットやイントラネット、さらにはデジタル放送やデータベースやメールの本格普及で増大する情報がさらに氾濫し、情報洪水の問題が深刻化する。
【０１６３】
そこで、人間と人間/機械システムの間のコミュニケーションやインタラクションにおいて、聞きたい（知りたい）、聞いてもいい（知ってもいい）、聞きたくない（知りたくない）というような情報入手時の状況、あるいは、聞かせたい（知らせたい）、聞かせてもいい（知らせてもいい）、聞かせたくない（知らせたくない）という人間の感情や認知的な側面を考慮した機能を、近距離無線ヘッドセットシステムに導入する。特に、聴覚（オーディオ）情報や音声言語情報は他の、テキストや視覚や触覚などの感覚情報と性質が異なっており、近距離無線ヘッドセットシステムにおいては重要な役割を演じる。
【０１６４】
ヘッドセット３００Ａ、３００Ｂは、それぞれ、送信する際の状態「聞かせたい」、「聞かせてもよい」、「聞かせたくない」を、識別子ｔ１、ｔ２、ｔ３とともに格納する。さらに、受信する際の状態として、「聞きたい」、「聞いてもよい」、「聞きたくない」が識別子ｒ１、ｒ２、ｒ３とともに格納される。制御方式決定部は、これらの中からユーザにより選択された状態を参照し、また、必要であれば環境情報なども参照して、プライバシーの保護を強化する、音声メッセージの強制的（PUSH）伝達を行うなど、実際の動作を決定する。
【０１６５】
図２９はこのような状態テーブルをさらに詳しく説明するための図である。たとえば、ヘッドセットＡの状態が「聞きたい」「聞かせたくない」であり、ヘッドセットＢの状態が「聞いてもよい」「聞かせてもよい」とする。この場合、図２９（Ａ）により、ヘッドセットＢの音声はコミュニケーション実行部から出力されるが、ヘッドセットＡの音声は出力されない。
【０１６６】
なお、図示はしないが、「記録させたい」、「記録させたくない」、「記録してもよい」、「再生させたくない」などの状態を格納することもできる。このような状態を選択することによって、たとえば相手の話を聞きたくない場合に、直接の対話では面と向かって相手に「聞きたくない」と言いづらい状況でも、ヘッドセットで状態を選択するだけで、相手には気づかれることなく、聞かない状況を設定できる。すなわち、第８実施形態の無線通信機能付きヘッドセットを用いると、人間同士の直接対話とはまた別の作用効果を備えた新しい音声コミュニケーションが可能となる。
【０１６７】
各ヘッドセットには、送信・受信の際に、音声コミュニケーション状態情報をあらかじめ準備しておく。例えば、通常（デフォルト）のヘッドセット利用時には、「聞かせたい」、「聞きたい」という、自由な通信、録音（記録）が可能になる状態に設定しておく。この状態では、人間のコミュニケーション範囲が拡張し、ヘッドセットの記憶能力が増強する。逆に、プライバシーやセキュリティの保護が重要となる場面では、ヘッドセットの通常状態（デフォルト時）を、音声受聴レベルが低い状態、全く聞こえない状態、歪ませる状態、録音や再生を不可にする状態などに設定できる。
【０１６８】
このようなヘッドセットシステムの適用例として、例えば、高齢者のような情報弱者がヘッドセットＡを装着している場合、受信側では、聞きたい（知りたい）は最優先される。また、再生する条件では、この高齢者が患者として接している医師の診察や診断に関わる音声が録音される場合に、高齢者本人と家族（保護者）による再生は可能とする。この場合、家族もヘッドセットを利用すると便利である。また、制御指示情報として、高齢者本人に繰り返し録音再生して聞かせたい情報をあらかじめ指定し、日常生活で必要な注意事項は、時刻、場所、食事時などを指定して適宜、再生提供することも可能である。また、ヘッドセット用に記録した音声情報以外に、テキストや映像情報も、適切なタイミング（制御指示）、環境条件で、併せて提供すると効果的である。さらに、家族や保護者には聞かせてもいいという、医師からの高齢者の患者家族に対する音声コミュニケーションの制御も容易に実現できる。上記の実施形態で説明したセキュリティや著作権保護方式、あるいは従来の通信制御技術を適宜利用できることは言うまでもない。
【０１６９】
第８実施形態では、音声コミュニケーションを２人のユーザ間で行った例を示したが、３人以上の場合でも、音声コミュニケーション状態テーブルと音声コミュニケーション制御方式を修正して容易に実現可能である。このようなヘッドセットシステムにより、人間と人間の音声コミュニケーションの理想的なあり方を追求し実現できる。また、互いの顔が見える、新しいフェイス−トゥ−フェイス（face-to-face）のコミュニケーションを質的に変革するものである。
【０１７０】
以上説明したように、本発明の無線通信機能付きヘッドセットおよびシステムによれば、ヘッドセットのユーザ間の対話や意図、意思が、プライバシーを維持したまま共有される。たとえば、医師や教師の場合、患者や生徒のプライバシーに関わる情報も会話の中に含まれる。あるいは、医師が主導権を握る閉鎖的空間である診察室や手術室での医療行為の状況や、教師が生徒に関して主導権を握る教室での教育の実施状況が記録されるので、家族、親、保護者は安心して情報を共有できる。これにより、在宅での治療や家庭教育との効果的な連携が可能となる。医師や看護婦や教師にとっては。オープン性が増すためにプラスの意味での負担は増えるが、得られる効果は大きい。
【０１７１】
本発明に係るコミュニケーション記録システムやヘッドセットシステムで記録された情報は、証拠としての価値が高い。たとえば、医療事故や深刻ないじめ問題が発生した場合に、病院長や学校長、裁判所の許可、当事者の間で了解がとれれば、第三者や評価審査機関での再生加工を可能とすることも適宜できる。
【０１７２】
また、本発明のシステムでは、プライバシー、セキュリティのメカニズムが整備されており、利用者は安心してオフレコ会話を行えるのも大きな利点である。
【０１７３】
現状のバーチャルナインターネットやイントラネットのメールや掲示板の議論という聴衆や記録を意識した行為とは異なり、現実の会議室や飲食や懇談や車や飛行機の中、喫煙所といった、現実社会の「場」での、リラックスした一過性の音声会話の特長がそのまま生かすことができる。つまり、話し相手の了承が得られれば録音および再生が可能、再生は話し相手がいるときだけ可能、話し相手が許可をしたら可能、再生は録音と同じ場所でだけ可能、など、様々なパーミッションを設定制御することにより、記憶の補助と、オリジナリティの尊重、気楽で心地よい会話といった、新しい作用効果が生まれる。
【図面の簡単な説明】
【０１７４】
【図１】図１は本発明の第１実施形態に係る無線機能付きヘッドセットの外観図である。
【図２】図２は本発明の第１実施形態に係る無線機能付きヘッドセットおよびこれを用いたコミュニケーション記録システムの概略図である。
【図３】図２に示すヘッドセットおよびコミュニケーション記録システムの変形例である。
【図４】図２に示すヘッドセットおよびコミュニケーション記録システムのさらに別の変形例である。
【図５】本発明の第２実施形態に係るコミュニケーション記録システムの概略図である。
【図６】図５のシステムで用いられる電波時計の概略ブロック図である。
【図７】第２実施形態に係るコミュニケーション記録システムの変形例である。
【図８】本発明の第３実施形態に係るコミュニケーション記録システムの概略図である。
【図９】図８のシステムで用いられる音声認識部の概略構成を示すブロック図である。
【図１０】図８のシステムで記録されるテキスト情報の一例を示す。
【図１１】本発明の第４実施形態に係る無線通信機能付きヘッドセットとこれを用いたコミュニケーション記録システムの概略図である。
【図１２】図１１に示すシステムの変形例である。
【図１３】図１１または１２のシステムで用いられる記録許可情報例を示す図である。
【図１４】本発明の第５実施形態に係る無線通信機能付きヘッドセットとこれを用いたコミュニケーション記録システムの概略図である。
【図１５】本発明の第６実施形態に係る無線通信機能付きヘッドセットとこれを用いたコミュニケーション記録システムの概略図である。
【図１６】図１５のシステムで用いられる再生許可情報の例を示す図である。
【図１７】対話記録と再生の態様を示す図である。
【図１８】再生担当者に応じて再生が許可される例を示す概略図である。
【図１９】再生される機器の種類に応じて再生が許可される例を示す概略図である。
【図２０】記録内容によって再生が許可される例を示す概略図である。
【図２１】再生が許可された場合に再生音を合成音とする例を示す概略図である。
【図２２】所定のキーワードを含む一部区間のみ再生される例を示す概略図である。
【図２３】再生が抑止される部分については再生しない例を示す概略図である。
【図２４】本発明の第６実施形態に係るコミュニケーション記録システムの概略構成図である。
【図２５】第６実施形態における別の構成例を示す概略図である。
【図２６】本発明の第７実施形態に係る音声コミュニケーションの制御方式を示す図である。
【図２７】図２６の音声コミュニケーション制御方式を適用した無線通信機能付きヘッドセットシステムの概略構成図である。
【図２８】図２７のシステムで用いられる音声コミュニケーション状態テーブルの例である。
【図２９】図２８の音声コミュニケーション状態テーブルをさらに説明するための図である。
【符号の説明】
【０１７５】
１０、４０、５０、９０、１４０、１６０、１８０、２４０、２７０、３００  無線通信機能付きヘッドセット
１１  無線通信モジュール
１３  ＣＰＵボード
１５  スピーカ
１７  マイクロホン
３１  記憶手段
３３  時計手段（時刻取得手段）
３５、８５、１１５、１５５  情報作成部
４５  時計調整手段
４７  位置特定手段
１２１  音声認識部
１７１  記録許可判定部
１７２  オフレコスイッチ（オフレコ設定手段）
１７３  許可情報記憶部
２０１  再生許可情報記憶部
２０３  再生判定部３２１  制御方式決定部
３２３  音声コミュニケーション実行部
【図１】
2004357294.tif 000003
【図２】
2004357294.tif 000004
【図３】
2004357294.tif 000005
【図４】
2004357294.tif 000006
【図５】
2004357294.tif 000007
【図６】
2004357294.tif 000008
【図７】
2004357294.tif 000009
【図８】
2004357294.tif 000010
【図９】
2004357294.tif 000011
【図１０】
2004357294.tif 000012
【図１１】
2004357294.tif 000013
【図１２】
2004357294.tif 000014
【図１３】
2004357294.tif 000015
【図１４】
2004357294.tif 000016
【図１５】
2004357294.tif 000017
【図１６】
2004357294.tif 000018
【図１７】
2004357294.tif 000019
【図１８】
2004357294.tif 000020
【図１９】
2004357294.tif 000021
【図２０】
2004357294.tif 000022
【図２１】
2004357294.tif 000023
【図２２】
2004357294.tif 000024
【図２３】
2004357294.tif 000025
【図２４】
2004357294.tif 000026
【図２５】
2004357294.tif 000027
【図２６】
2004357294.tif 000028
【図２７】
2004357294.tif 000029
【図２８】
2004357294.tif 000030
【図２９】
2004357294.tif 000031